(57)【要約】【課題】  携帯型電子装置の運動モード実行の方法の提供。【解決手段】  使用者が運動しながら音楽が聞けるようにし、並びに携帯型電子装置を運動モード下で正常に運転させて使用者の激烈な運動によって携帯型電子装置が損傷しないようにするため、本発明は一種の携帯型電子装置の運動モード実行の方法を提供する。この携帯型電子装置はハードディスクを具え、この方法は、（Ａ）携帯型電子装置がウォーキングモードに切り換えられたかを判断するステップ、（Ｂ）ウォーキングモードに切り換えられている時、ハードディスクより少なくとも一つの音楽ファイルをメモリにダウンロードするステップ、（Ｃ）該ハードディスクをオフするステップ、及び、（Ｄ）メモリより少なくとも一つの音楽ファイルを取り出し再生するステップ、を具えている。【選択図】        図２
2006190428.tif 000002
【特許請求の範囲】
【請求項１】
ハードディスクを具えた携帯型電子装置に運用される携帯型電子装置の運動モード実行の方法において、この方法は、
（Ａ）携帯型電子装置がウォーキングモードに切り換えられたかを判断するステップ、  （Ｂ）ウォーキングモードに切り換えられている時、ハードディスクより少なくとも一つの音楽ファイルをメモリにダウンロードするステップ、
（Ｃ）該ハードディスクをオフするステップ、
（Ｄ）メモリより少なくとも一つの音楽ファイルを取り出し再生するステップ、
を具えたことを特徴とする、携帯型電子装置の運動モード実行の方法。
【請求項２】
請求項１記載の携帯型電子装置の運動モード実行の方法において、携帯型電子装置がマルチメディアプレイヤーとされたことを特徴とする、携帯型電子装置の運動モード実行の方法。
【請求項３】
請求項２記載の携帯型電子装置の運動モード実行の方法において、マルチメディアプレイヤーがＭＰ３プレイヤーとされたことを特徴とする、携帯型電子装置の運動モード実行の方法。
【請求項４】
請求項２記載の携帯型電子装置の運動モード実行の方法において、マルチメディアプレイヤーがＰＤＡ（携帯情報端末）とされたことを特徴とする、携帯型電子装置の運動モード実行の方法。
【請求項５】
請求項１記載の携帯型電子装置の運動モード実行の方法において、メモリがダイナミックメモリとされたことを特徴とする、携帯型電子装置の運動モード実行の方法。
【請求項６】
請求項１記載の携帯型電子装置の運動モード実行の方法において、メモリがフラッシュメモリとされたことを特徴とする、携帯型電子装置の運動モード実行の方法。
【請求項７】
請求項１記載の携帯型電子装置の運動モード実行の方法において、メモリがスタティックメモリとされたことを特徴とする、携帯型電子装置の運動モード実行の方法。
【請求項８】
請求項１記載の携帯型電子装置の運動モード実行の方法において、音楽ファイルがＭＰ３電子ファイルとされたことを特徴とする、携帯型電子装置の運動モード実行の方法。
【請求項９】
請求項１記載の携帯型電子装置の運動モード実行の方法において、音楽ファイルがＷＭＡ電子ファイルとされたことを特徴とする、携帯型電子装置の運動モード実行の方法。
【発明の詳細な説明】
【技術分野】
【０００１】
本発明は一種の携帯型電子装置のウォーキングモードを実行する方法であり、特に、携帯型電子装置の運動モード実行の方法に関する。
【背景技術】
【０００２】
電子テクノロジーの進歩により、各種の電子製品が生れ、消費者の変化と新しさに対する要求を満たすため、製品はますます体積が縮小されて場所を取らず携帯に便利なものとされ、また機能方面でも異なる特殊な機能が増され、単一の選択使用しか行なえなかった携帯型電子装置が多用途の目的を達成している。例えば、マルチメディアファイルの再生（ＭＰ３（一種の音楽エンコード形式）ファイル、ＷＭＡ（別の一種の音楽エンコード形式）ファイル、ＷＡＶ（別の一種の音楽エンコード形式）ファイル、或いはＭＰＥＧ（一種の画像エンコード形式）ファイル、文書編集等の機能を有するものとされる。そのうち、携帯型電子装置はＭＰ３プレイヤー、或いはＰＤＡとされうる。
【０００３】
図１に示されるように、ＭＰ３プレイヤー１０は以下の装置、則ち、マイクロプロセッサ１２、ハードディスク１４、メモリ１６、ディスプレイパネル駆動回路１８、及び音声信号増幅器２０を具えている。ハードディスク１４はＭＰ３音楽ファイルを保存するのに用いられ、使用者がＭＰ３音楽ファイルを再生する時は、マイクロプロセッサ１２がハードディスク１４よりＭＰ３音楽ファイルをダウンロードし、並びにＭＰ３デコード処理を行ない音楽信号を発生し、並びに音楽信号を音声信号増幅器２０に送り、音声信号増幅器２０がイヤホン或いはスピーカに接続可能とされる。こうして、使用者はイヤホン或いはスピーカによりこの音楽信号に対応する音楽を聴くことができる。このほか、メモリ１６はデータレジスタ装置とされ得て、ディスプレイパネル駆動回路１８はディスプレイパネルを駆動し、これによりＭＰ３プレイヤー１０が情報を使用者に対して表示することができる。
【０００４】
しかし、携帯型電子装置には一つの問題点がある。即ち携帯型電子装置の保存容量を増すためにハードディスクをデータ保存装置として採用しているが、運転中のハードディスクは揺れにより故障を発生しやすく、これにより正常に運転できなくなる場合がある。特に、使用者が上述の携帯型電子装置を携行して運動、例えばウォーキング、登山等を行なうとき、上述の携帯型電子装置が使用者の激烈な運動により損壊することがある。しかし一般に携帯型電子装置には、このような事故の防止のためにハードディスクの安全を保障する運動モードを提供して使用者の選択に供することがなく、このために使用者は運動しながら音楽を聴くことができなかった。
【発明の開示】
【発明が解決しようとする課題】
【０００５】
使用者の運動モードに対する要求を満足させるため、並びに携帯型電子装置を運動モード下で正常に運転させて使用者の激烈な運動によって携帯型電子装置が損傷しないようにするため、本発明は一種の携帯型電子装置の運動モード実行の方法を提供する。この携帯型電子装置はハードディスクを具え、この方法は、（Ａ）携帯型電子装置がウォーキングモードに切り換えられたかを判断するステップ、（Ｂ）ウォーキングモードに切り換えられている時、ハードディスクより少なくとも一つの音楽ファイルをメモリにダウンロードするステップ、（Ｃ）該ハードディスクをオフするステップ、及び、（Ｄ）メモリより少なくとも一つの音楽ファイルを取り出し再生するステップ、を具えている。
【０００６】
そのうち、携帯型電子装置はＭＰ３プレイヤー或いはＰＤＡとされうる。メモリはダイナミックメモリ、スタティックメモリ或いはフラッシュメモリとされる。メモリに保存される音楽ファイルはＭＰ３電子ファイル或いはＷＭＡ電子ファイルとされる。ハードディスクはオフされた後に高い振動防止能力を具え、ゆえに携帯型電子装置に損傷が発生する可能性を減らすことができる。
【課題を解決するための手段】
【０００７】
請求項１の発明は、ハードディスクを具えた携帯型電子装置に運用される携帯型電子装置の運動モード実行の方法において、この方法は、
（Ａ）携帯型電子装置がウォーキングモードに切り換えられたかを判断するステップ、  （Ｂ）ウォーキングモードに切り換えられている時、ハードディスクより少なくとも一つの音楽ファイルをメモリにダウンロードするステップ、
（Ｃ）該ハードディスクをオフするステップ、
（Ｄ）メモリより少なくとも一つの音楽ファイルを取り出し再生するステップ、
を具えたことを特徴とする、携帯型電子装置の運動モード実行の方法としている。
請求項２の発明は、請求項１記載の携帯型電子装置の運動モード実行の方法において、携帯型電子装置がマルチメディアプレイヤーとされたことを特徴とする、携帯型電子装置の運動モード実行の方法としている。
請求項３の発明は、請求項２記載の携帯型電子装置の運動モード実行の方法において、マルチメディアプレイヤーがＭＰ３プレイヤーとされたことを特徴とする、携帯型電子装置の運動モード実行の方法としている。
請求項４の発明は、請求項２記載の携帯型電子装置の運動モード実行の方法において、マルチメディアプレイヤーがＰＤＡ（携帯情報端末）とされたことを特徴とする、携帯型電子装置の運動モード実行の方法としている。
請求項５の発明は、請求項１記載の携帯型電子装置の運動モード実行の方法において、メモリがダイナミックメモリとされたことを特徴とする、携帯型電子装置の運動モード実行の方法としている。
請求項６の発明は、請求項１記載の携帯型電子装置の運動モード実行の方法において、メモリがフラッシュメモリとされたことを特徴とする、携帯型電子装置の運動モード実行の方法としている。
請求項７の発明は、請求項１記載の携帯型電子装置の運動モード実行の方法において、メモリがスタティックメモリとされたことを特徴とする、携帯型電子装置の運動モード実行の方法としている。
請求項８の発明は、請求項１記載の携帯型電子装置の運動モード実行の方法において、音楽ファイルがＭＰ３電子ファイルとされたことを特徴とする、携帯型電子装置の運動モード実行の方法としている。
請求項９の発明は、請求項１記載の携帯型電子装置の運動モード実行の方法において、音楽ファイルがＷＭＡ電子ファイルとされたことを特徴とする、携帯型電子装置の運動モード実行の方法としている。
【発明の効果】
【０００８】
本発明を使用した携帯型電子装置を使用する時、ハードウエア設備を損壊せずに、使用者は運動の目的を達成でき、同時に音楽を楽しむことができる。
【発明を実施するための最良の形態】
【０００９】
使用者の運動モードに対する要求を満足させるため、並びに携帯型電子装置１０を運動モード下で正常に運転させて使用者の激烈な運動によって携帯型電子装置１０が損傷しないようにするため、本発明は一種の携帯型電子装置の運動モード実行の方法を提供する。この携帯型電子装置の構造は図１に示されるようであり、運動モードを実行する方法のステップは図２に示されるようであり、即ち、
ステップＳ１０：  初期化
ステップＳ１２：  携帯型電子装置がウォーキングモードに切り換えられたかを判断し、未だ切り換えられていなければ使用者は必要により携帯型電子装置１０に対して一般モードＳ２２を実行し、例えば、再生したいＭＰ３電子ファイルを選択する。図３に示されるように、携帯型電子装置１０の機能メニューは使用者の選択に供するウォーキングモードとサウンドモードを提供し、そのうち、サウンドモードは以下のサウンド再生設定、即ち、正常（ＮＡＴＵＲＡＬ）、古典（ＣＬＡＳＳＩＣ）、ロック（ＲＯＣＫ）、ジャズ（ＪＡＺＺ）、ポップ（ＰＯＰ）、ソフト（ＳＯＦＴ）、ヘビーメタル（ＤＢＢ）等のサウンドモード、単一再生、循環再生或いはランダム再生等の設定を包含する。使用者が携帯型電子装置１０を携行して運動する時、使用者はウォーキングモードを選択できる。使用者がウォーキングモードの項目を選択することにより、携帯型電子装置１０はＳ２２よりウォーキングモードに切り換えられる。
ステップＳ１４：  ハードディスク１４より音楽ファイルをメモリ１６にダウンロードする。携帯型電子装置１０がＳ２２よりウォーキングモードに切り換えられた後、携帯型電子装置１０はハードディスク１４中の電子ファイルのメニューを表示し、使用者に再生する電子ファイルを選択させるか、或いは、携帯型電子装置１０のマイクロプロセッサがランダム選択或いは順序選択の方式によりハードディスク１４より電子ファイルを選択し、最後に、携帯型電子装置１０のマイクロプロセッサ１２が電子ファイルを携帯型電子装置１０のハードディスク１４より読み取り、並びに携帯型電子装置１０のメモリ１６中に保存し、メモリ１６にはそのメモリ空間の残りが無くなるまで電子ファイルを保存できる。そのうち、メモリ１６はダイナミックメモリ、スタティックメモリ、フラッシュメモリとされうる。
ステップＳ１６：  ハードディスク１４をオフする。携帯型電子装置１０のマイクロプロセッサ１２がこのハードディスク１４の停止を要求し、この命令の目的は、使用者が上述の携帯型電子装置１０を携行して運動する時に、激烈な振動によりハードディスク１４が故障して、ハードディスク１４が正常運転不能となるのを防止することにある。
ステップＳ１８：  音楽ファイル再生。携帯型電子装置１０がウォーキングモードにある時、携帯型電子装置１０のメモリ１６中に保存された電子ファイルは、電子ファイルのエンコード形式により対応するデコード方式でデコードされて再生される。例えばＭＰ３電子ファイルはＭＰ３電子ファイルデコード方式により再生され、ＷＭＡ電子ファイルはＷＭＡ電子ファイルデコード方式により再生される。こうして使用者はイヤホン或いはスピーカによりこの音楽信号に対応する音楽を聴くことができる。このほか、ウォーキングモード起動の前に、携帯型電子装置１０は現在メモリ１６中に保存されている電子ファイルの数及び名称を表示できる。これにより、使用者は携帯型電子装置１０がウォーキングモードとされた後に、どの電子ファイルを再生するかを知ることができる。携帯型電子装置１０のウォーキングモードが起動された後、使用者は自分の好みにより電子ファイルの再生パラメータ、例えば正常（ＮＡＴＵＲＡＬ）、古典（ＣＬＡＳＳＩＣ）、ロック（ＲＯＣＫ）、ジャズ（ＪＡＺＺ）、ポップ（ＰＯＰ）、ソフト（ＳＯＦＴ）、ヘビーメタル（ＤＢＢ）等のサウンドモード、単一再生、循環再生或いはランダム再生等の再生パラメータを設定できる。
【００１０】
使用者が運動終了した後、使用者は機能メニューを呼び出すことができる。図４に示されるように、機能メニューは一般モードＳ２２とサウンドモード等の項目を提供して使用者の選択に供する。こうして、使用者はＳ２２の項目を選択することで携帯型電子装置１０にハードディスク１４をオンし、携帯型電子装置１０を一般モードＳ２２の操作状態に切り換えることができる。
【００１１】
これにより、本発明を使用した携帯型電子装置１０を使用する時、ハードウエア設備を損壊せずに、使用者は運動の目的を達成でき、同時に音楽を楽しむことができる。
【００１２】
以上の実施例は本発明の説明のために例示されたものであって、本発明の主張する権利範囲は請求範囲の記載に準じるものとし、上述の実施例に限定されるものではない。
【図面の簡単な説明】
【００１３】
【図１】本発明が応用される携帯型電子装置の機能ブロック図である。
【図２】本発明の携帯型電子装置の運動モード実行の方法のフローチャートである。
【図３】本発明を応用した携帯型電子装置の機能メニュー表示図である。
【図４】本発明を応用した携帯型電子装置のもう一つの機能メニュー表示図である。
【符号の説明】
【００１４】
Ｓ１０−Ｓ２０  ステップ
１０  携帯型電子装置
１２  マイクロプロセッサ
１４  ハードディスク
１６  メモリ
１８  ディスプレイパネル駆動回路
２０  音声信号増幅器
【図１】
2006190428.tif 000003
【図２】
2006190428.tif 000004
【図３】
2006190428.tif 000005
【図４】
2006190428.tif 000006